(57)【要約】【課題】  屋外側から扉等の一部を破壊して行う工作によっては解錠が困難であるキーを使用しないサムターン装置を供する。【解決手段】  サムターン軸12の回動によりデッドボルトが連動して扉体の端面から出没して施錠または解錠されるサムターン装置において、サムターン軸12に対して同軸に回動自在に軸支された第１つまみ部材21と、第１つまみ部材21と軸方向に並んでサムターン軸12に対して軸方向の移動を規制されて同軸に回動自在に軸支された第２つまみ部材22と、サムターン軸12に対して第１つまみ部材21が所定の相対回動角度での軸方向の移動でサムターン軸12と係合または離脱する係脱機構Ｋと、第２つまみ部材22に対して第１つまみ部材21が所定の相対回動角度でのみ軸方向に移動可能とするカム機構Ｃとを備えたサムターン装置。【選択図】  図８
2005179912.tif 000002
【特許請求の範囲】
【請求項１】
サムターン軸の回動によりデッドボルトが連動して扉体の端面から出没して施錠または解錠されるサムターン装置において、
前記サムターン軸に対して同軸に回動自在に軸支された第１つまみ部材と、
前記第１つまみ部材と軸方向に並んで前記サムターン軸に対して軸方向の移動を規制されて同軸に回動自在に軸支された第２つまみ部材と、
前記サムターン軸に対して前記第１つまみ部材が所定の相対回動角度での軸方向の移動で前記サムターン軸と係合または離脱する係脱機構と、
前記第２つまみ部材に対して前記第１つまみ部材が所定の相対回動角度でのみ軸方向に移動可能とするカム機構と、
を備えたことを特徴とするサムターン装置。
【請求項２】
前記カム機構は、前記第２つまみ部材に対して前記第１つまみ部材を所定の相対回動角度範囲で回動を許すとともに、前記相対回動角度範囲の一方の限界相対角度においてのみ軸方向の移動を許す機構であることを特徴とする請求項１記載のサムターン装置。
【請求項３】
前記第１つまみ部材のつまみ部以外の円筒部に前記円筒状の第２つまみ部材が同軸に重なり、
前記カム機構は、前記第１つまみ部材の円筒部に軸方向と周方向に延びＬ字をなして形成されたカム溝に前記第２つまみ部材と一体のピンが摺動自在に嵌合した機構であることを特徴とする請求項２記載のサムターン装置。
【請求項４】
前記第２つまみ部材に対して前記第１つまみ部材を前記相対回動角度範囲の軸方向の移動を許す限界相対角度とは反対の限界相対角度に向けた回動方向に付勢する回動付勢手段を備えたことを特徴とする請求項２または請求項３記載のサムターン装置。
【請求項５】
前記第１つまみ部材を軸方向における前記係脱機構の離脱方向に付勢する軸方向付勢手段と、
前記係脱機構が係合状態にある前記第１つまみ部材を前記軸方向付勢手段の付勢力に抗して前記第２つまみ部材に掛止して係合状態を維持し、所定以上の外力による前記第１つまみ部材の軸方向の移動で掛止を解除可能な掛止手段と、
を備えたことを特徴とする請求項４記載のサムターン装置。
【請求項６】
前記回動付勢手段と前記軸方向付勢手段とを１つのコイルスプリングで構成したことを特徴とする請求項５記載のサムターン装置。
【請求項７】
前記第１つまみ部材と前記第２つまみ部材の少なくとも一方のつまみ部外周に回動角度を示す印を付することを特徴とする請求項１から請求項６までのいずれか記載のサムターン装置。
【発明の詳細な説明】
【技術分野】
【０００１】
本発明は、扉などに取付けられた錠を扉内側から施錠および解錠するサムターン装置に関する。
【背景技術】
【０００２】
扉に取付けられた錠を、屋内側でキーを用いずに施錠および解錠するサムターン装置は広く実施されている。
このサムターン装置は、扉などの内側に配置されたつまみ部材を廻してサムターン軸を回動させ、それにより扉端面からデッドボルトを出没させて、施錠および解錠をするものである。
【０００３】
つまみ部材を廻すだけで施錠または解錠をすることができるので、屋内側からの操作が簡単で便利である。
しかし、扉等の一部が破壊され、屋外側から特殊な工具を挿入されたり、手を差し入れることができれば、つまみ部材を廻すだけなので、簡単に解錠されてしまう。
【０００４】
そこで、サムターン装置のつまみ部材を廻して施錠した後に屋内側でもキーを使用してつまみ部材とサムターン軸との連動を遮断してつまみ部材を空転状態とする例が提案されている（例えば、特許文献１参照）。
【特許文献１】特開２００３−３７０２号公報
【発明の開示】
【発明が解決しようとする課題】
【０００５】
しかし、屋内側でもキーを使用しなければならないのは、やはり不便である。
本発明は、かかる点に鑑みなされたもので、その目的とする処は、屋外側から扉等の一部を破壊して行う工作によっては解錠が困難であるキーを使用しないサムターン装置を供する点にある。
【課題を解決するための手段】
【０００６】
上記目的を達成するために、本発明は、サムターン軸の回動によりデッドボルトが連動して扉体の端面から出没して施錠または解錠されるサムターン装置において、前記サムターン軸に対して同軸に回動自在に軸支された第１つまみ部材と、前記第１つまみ部材と軸方向に並んで前記サムターン軸に対して軸方向の移動を規制されて同軸に回動自在に軸支された第２つまみ部材と、前記サムターン軸に対して前記第１つまみ部材が所定の相対回動角度での軸方向の移動で前記サムターン軸と係合または離脱する係脱機構と、前記第２つまみ部材に対して前記第１つまみ部材が所定の相対回動角度でのみ軸方向に移動可能とするカム機構とを備えたサムターン装置とした。
【０００７】
係脱機構によりサムターン軸に対して第１つまみ部材が所定の相対回動角度での軸方向の移動で、第１つまみ部材がサムターン軸に係脱し、またカム機構により軸方向の移動が規制された第２つまみ部材に対して第１つまみ部材が所定の相対回動角度でのみ軸方向に移動可能としているので、第１つまみ部材は、サムターン軸に対して所定の相対回転角度にある第１の条件と第２つまみ部材に対して所定の相対回転角度にある第２の条件の２つの条件が満足されたときにのみ軸方向の移動が可能で係脱機構によるサムターン軸との係脱が実行される。
【０００８】
したがって、該サムターン装置により施錠され第１つまみ部材がサムターン軸と離脱状態にあるときに、第１つまみ部材と第２つまみ部材をそれぞれ回動し上記２つの条件を満足するように設定することは、片手では不可能であり、第１つまみ部材と第２つまみ部材の回動状態を見ながら両手で操作する必要があるため、屋外側から扉などを一部破壊して工具や手を挿入して解錠することは極めて困難である。
また、キーを使用しないので便利である。
【０００９】
請求項２記載の発明は、請求項１記載のサムターン装置において、前記カム機構は、前記第２つまみ部材に対して前記第１つまみ部材を所定の相対回動角度範囲で回動を許すとともに、前記相対回動角度範囲の一方の限界相対角度においてのみ軸方向の移動を許す機構であることを特徴とする。
【００１０】
第２つまみ部材に対して第１つまみ部材の回動を所定の相対回動角度範囲内に限定し、相対回動角度範囲の一方の限界相対角度においてのみ軸方向の移動を許すので、第２つまみ部材に対して第１つまみ部材を軸方向に移動可能に設定するのを、無闇に難しくするのを防止して屋内側からはその設定を容易にすることができる。
【００１１】
請求項３記載の発明は、請求項２記載のサムターン装置において、請求項２記載のサムターン装置において、前記第１つまみ部材のつまみ部以外の円筒部に前記円筒状の第２つまみ部材が同軸に重なり、前記カム機構は、前記第１つまみ部材の円筒部に軸方向と周方向に延びＬ字をなして形成されたカム溝に前記第２つまみ部材と一体のピンが摺動自在に嵌合した機構であることを特徴とする。
【００１２】
カム機構は、第１つまみ部材の円筒部に穿設されたＬ字孔に第２つまみ部材と一体のピンが摺動自在に嵌合した簡単な機構であり、コンパクトに構成できる。
【００１３】
請求項４記載の発明は、請求項２または請求項３記載のサムターン装置において、前記第２つまみ部材に対して前記第１つまみ部材を前記相対回動角度範囲の軸方向の移動を許す限界相対角度とは反対の限界相対角度に向けた回動方向に付勢する回動付勢手段を備えたことを特徴とする。
【００１４】
回動付勢手段により第２つまみ部材に対して第１つまみ部材を相対回動角度範囲の軸方向の移動を許す限界相対角度に一致するのを、常時回避することができ、安易に第１つまみ部材を移動してサムターン軸に係合するのを防止することができる。
【００１５】
請求項５記載の発明は、請求項４記載のサムターン装置において、前記第１つまみ部材を軸方向における前記係脱機構の離脱方向に付勢する軸方向付勢手段と、前記係脱機構が係合状態にある前記第１つまみ部材を前記軸方向付勢手段の付勢力に抗して前記第２つまみ部材に掛止して係合状態を維持し、所定以上の外力による前記第１つまみ部材の軸方向の移動で掛止を解除可能な掛止手段とを備えたことを特徴とする。
【００１６】
掛止手段により第１つまみ部材を第２つまみ部材に掛止して係合状態を維持した状態では、第１つまみ部材と第２つまみ部材は一体に回動して係合状態にあるサムターン軸も同時に回動し、デッドボルトが連動して扉体の端面から出没して施錠または解錠することができる。
【００１７】
施錠した状態で所定以上の外力により第１つまみ部材を軸方向に移動すると、掛止が解除され、軸方向付勢手段の付勢力により第１つまみ部材を軸方向に移動するとともに、回動付勢手段により第２つまみ部材に対して第１つまみ部材を相対回動角度範囲の軸方向の移動を許す限界相対角度に一致するのを、回避させることができ、第１つまみ部材を軸方向に移動させる簡単な操作で、第１つまみ部材とサムターン軸との係脱機構を離脱させることができる。
【００１８】
請求項６記載の発明は、請求項５記載のサムターン装置において、前記回動付勢手段と前記軸方向付勢手段とを１つのコイルスプリングで構成したことを特徴とする。
【００１９】
１つのコイルスプリングで回動付勢手段と軸方向付勢手段の双方の機能を果すので、部品点数を少なくし、サムターン装置のコンパクト化を図ることができる。
【００２０】
請求項７記載の発明は、請求項１から請求項６までのいずれか記載のサムターン装置において、前記第１つまみ部材と前記第２つまみ部材の少なくとも一方のつまみ部外周に回動角度を示す印を付することを特徴とする。
【００２１】
第１つまみ部材と第２つまみ部材の少なくとも一方のつまみ部外周に回動角度を示す印を付することで、屋内側から第１つまみ部材と第２つまみ部材の回動角度を印を見ながら容易に設定することができる。
【発明を実施するための最良の形態】
【００２２】
以下、本発明に係る一実施の形態について図１ないし図１３に基づき説明する。
本実施の形態におけるサムターン装置10の操作により連動してデッドボルト３が扉１の端面から出没する錠機構を示したものである。
扉１内に内装される錠ケース２の端面２ａからデッドボルト３が出没自在に水平に平行移動する。
【００２３】
サムターン装置10のサムターン軸12が回動中心軸４ａに嵌入して一体に回動する第１デッドロッキングレバー４は、遠心方向に延出したレバー部４ｂの先端部がデッドボルト３の凹状カム部３ａに当接してデッドボルト３を摺動させるとともに、回動中心軸４ａに一体の部分歯車部４ｃが第２デッドロッキングレバー５の一端部５ａに噛み合い揺動中心軸６に対して反対側の他端部５ｂを揺動させることができる。
【００２４】
第１デッドロッキングレバー４のレバー部４ａの左右にはストッパ７，７が固着されていて、第１デッドロッキングレバー４の回動範囲を規制している。
また、第１デッドロッキングレバー４のレバー部４ａ先端にばね部材８が下方から接して上方へ付勢しており、施錠および解錠状態において第１デッドロッキングレバー４を仮に固定してふらつくのを防止している。
【００２５】
第２デッドロッキングレバー５の他端部５ｂは、デッドボルト３の移動方向に垂直な切欠き面を有する段部３ｂに係脱自在に揺動し、ばね部材９により係合方向に付勢されている。
【００２６】
図１の実線で示す状態は、施錠状態であり、扉１の端面から突出したデッドボルト３は、外側から引っ込めようとしても、第２デッドロッキングレバー５にデッドボルト３の段部３ｂが係止されて移動を規制される。
【００２７】
サムターン装置10の操作でサムターン軸12が第１デッドロッキングレバー４を図１において反時計方向に回動すると、部分歯車部４ｃが第２デッドロッキングレバー５を時計方向に揺動してデッドボルト３の移動路を開き、次いで第１デッドロッキングレバー４のレバー部４ａ先端がデッドボルト３の凹状カム部３ａに接してデッドボルト３を移動して図１に破線で示すようにデッドボルト３を錠ケース２内に没し解錠することができる。
【００２８】
また、逆にサムターン軸12を第１デッドロッキングレバー４とともに時計方向に回動すると、デッドボルト３を扉１の端面から突出させ、第２デッドロッキングレバー５をばね部材９によりデッドボルト３の段部３ｂの段部３ｂに係合して移動を規制し施錠することができる。
【００２９】
このサムターン装置10の側面図を図２に示し、同図２において右側が扉の屋内側であり、以下屋外側である左側を前方、屋内側である右側を後方とする。
サムターン装置10を屋外側から見たIII矢視図を図３に、屋内側から見たIV矢視図を図４に示す。
【００３０】
そしてサムターン装置10を前後方向（軸線方向）に２分割した分解斜視図を図５、全部品を分解した分解斜視図を図６に示す。
まず図６を参照して中空円板状の取付ベース11は、中央の円孔11ａの前側に円孔拡径部11ｂを有し、外周面から直径中心方向に一対の有底の小穴11ｃ，11ｃが形成され、小穴11ｃ，11ｃと周方向に90度ずれた位置にねじ孔11ｄ，11ｄが軸方向に穿設されている。
【００３１】
この取付ベース11の円孔11ａに後方から貫通するサムターン軸12は、後方に開口した有底円筒基端部12ａから前方に延出した長尺カム軸12ｂが断面十字形状をしており、同長尺カム軸12ｂが、前記第１デッドロッキングレバー４の回動中心軸４ａの矩形孔に嵌入し、前記したように連動してデッドボルト３を扉端面から出没させることができる。
【００３２】
有底円筒基端部12ａは、その外径が前記取付ベース11の円孔11ａに略等しく、直径方向にピン孔12ｃが穿設されて、ピン孔12ｃより若干前方の外周面には周方向に溝条12ｄが形成されている。
【００３３】
このサムターン軸12の後端の有底円筒基端部12ａに、後方から被係脱軸部材13の前端部13ａが嵌入され、同前端部13ａに直径方向に穿設されたピン孔13ｄをサムターン軸12側のピン孔12ｃに合せてピン14により貫通されて両者が同軸一体に結合される。
【００３４】
被係脱軸部材13の前端部13ａの付け根位置に放射方向に扇状突出部13ｂが周方向90度間隔で４つ突出形成され、互いの扇状突出部13ｂ，13ｂ間に係合凹部13ｃが形成されている。
４つの係合凹部13ｃは、軸線を中心に十字位置にある。
なお被係脱軸部材13の後端面には直径方向に溝条13ｐが形成されている（図５参照）。
【００３５】
この被係脱軸部材13を後方に結合したサムターン軸12を前記取付ベース11の円孔11ａに後方より貫通させ、取付ベース11の円孔拡径部11ｂに前方からワッシャ15を介してＧリング16をサムターン軸12に貫通させて挿入し、有底円筒基端部12ａの嵌合し、溝条12ｄに嵌め込み、サムターン軸12および被係脱軸部材13を取付ベース11に回動自在に組み付ける。  
【００３６】
なお、サムターン軸12の長尺カム軸12ｂにゴムチューブである軸パイプ17が嵌入される。
また、取付ベース11の外周面に形成された有底の小穴11ｃ，11ｃには、スプリング18が挿入された後に、カバー固定ピン19が挿入される。
【００３７】
こうしてサムターン装置10の前半部10ｆが組み付けられ、同前半部10ｆが図５に示されている。
この前半部10ｆの取付ベース11が錠ケース２の屋外側側面にねじ孔11ｄ，11ｄを貫通したねじ20，20によって固着される。
【００３８】
サムターン装置10の後半部10ｒは、概ね円筒状をした第１つまみ部材21と第２つまみ部材22がコイルスプリング23を介して相対的に軸方向の移動と回動を可能に嵌合する。
【００３９】
第１つまみ部材21は、前記被係脱軸部材13の扇状突出部13ｂの外径と等しい外径の円筒部21ｂの後端部が外径を若干拡大した拡径段部21ｆを経てさらに拡径した外周面に複数の溝条が形成された偏平なつまみ部21ａを構成しており、円筒部21ｂの前端面に周方向に90度間隔に４つの係合凸部21ｃが突出しており、同軸線を中心に十字位置にある４つの係合凸部21ｃは軸方向前方に移動して前記被係脱軸部材13の４つの係合凹部13ｃに対応し係合可能である。
【００４０】
第１つまみ部材21の円筒部21ｂの外周面には、所定位置に軸方向と周方向に延びた軸方向溝と周方向溝によりＬ字をなしてカム溝21ｄが形成されている。
このカム溝21ｄの軸方向溝の後端に周方向溝方向に若干凹んだ凹部21ｅが形成されている。
つまみ部21ａの前面の拡径段部21ｆの前面所定位置に微小穴21ｇが形成されている。
【００４１】
他方、第２つまみ部材22は、前半部内径が第１つまみ部材21の円筒部21ｂに略等しく、後半部内径が拡径して拡径段部21ｆの外径に略等しく、後半部内周面と円筒部21ｂの外周面との間にコイルスプリング23が介装されて第２つまみ部材22内に第１つまみ部材21の円筒部21ｂおよび拡径段部21ｆが嵌挿される。
【００４２】
コイルスプリング23の後端部23ａは軸方向後方に延びて第１つまみ部材21の拡径段部21ｆの微小穴21ｇに挿入され、同様に前端部23ｂは軸方向前方に延びて図示されないが第２つまみ部材22の内周面の段部に形成された微小穴に挿入され、コイルスプリング23により第１つまみ部材21と第２つまみ部材22を相対的に回動させる付勢力を与えるとともに軸方向の離れる方向に付勢力を与えることができる。
【００４３】
第２つまみ部材22は、第１つまみ部材21と等しい外径を有して外周面に複数の溝条が形成されたつまみ部22ａが形成され、前端に若干拡径したフランジ22ｂが形成され、前面には前方に若干突出した縮径段部22ｃが形成されている。
【００４４】
つまみ部22ａのフランジ22ｂ近傍の所定箇所にピン孔22ｄが穿設されており、同ピン孔22ｄに嵌入されたストップピン24の先端部が第１つまみ部材21の円筒部21ｂに形成されたＬ字状のカム溝21ｄに摺動自在に嵌合される。
【００４５】
したがって第２つまみ部材22と一体のストップピン24が第１つまみ部材21のＬ字状のカム溝21ｄに案内されて動くカム機構Ｃのため、第１つまみ部材21と第２つまみ部材22は、カム溝21ｄの周方向溝に規制される相対回動角度範囲内で相対回動し、その相対回動角度範囲の一方の限界相対角度においてカム溝21ｄの軸方向溝に規制される相対軸方向移動範囲内で軸方向に移動する。
【００４６】
そして第１つまみ部材21と第２つまみ部材22との間に介装されるコイルスプリング23により第２つまみ部材22に対して第１つまみ部材21は後方から見て反時計方向に常に付勢されるとともに前後軸方向後方に常に付勢されている。
【００４７】
第１つまみ部材21と第２つまみ部材22が組み付けられた状態では、第２つまみ部材22に対して第１つまみ部材21が時計方向に回動して限界位置にあるときに、第１つまみ部材21が前後軸方向に移動可能でコイルスプリング23に抗して前方へ移動することができる。
【００４８】
このように組み付けられた第１つまみ部材21と第２つまみ部材22に対して後方から環状の連結カバーリング25が被せられる。
連結カバーリング25は、偏平円筒状をしており、内径が第２つまみ部材22のフランジ22ｂの外径に等しく、後端開口縁が内側に若干延出した縮径部25ａが形成され、内周面の軸線方向の所定中央位置に周方向に亘って溝条25ｂが刻設されている。
また、円筒状をした連結カバーリング25の所定中心対称位置にピン孔25ｃ，25ｃが穿設されている。
【００４９】
この連結カバーリング25を後方から第１つまみ部材21を貫通させて第２つまみ部材22のフランジ22ｂに縮径部25ａが当接するまで嵌挿し、第２つまみ部材22の前方からＣ字状のリング押えばね26を弾性的に縮径した状態で連結カバーリング25内に挿入して内周面の溝条25ｂに弾性力で嵌合することで、第２つまみ部材22のフランジ22ｂに連結カバーリング25を取り付けることができる。
【００５０】
このようにしてサムターン装置10の後半部10ｒが組み付けられ、同後半部10ｒが図５に示されている。
同図５においてサムターン装置10の前半部10ｆが、錠ケース２の屋外側側面にねじ20，20によって固着された後に、この前半部10ｆに後半部10ｒを軸線を合せて組み付ける。
このとき、被係脱軸部材13が第１つまみ部材21を貫通し、取付ベース11の外周を連結カバーリング25が覆う。
【００５１】
取付ベース11の外周を連結カバーリング25が覆う際に、取付ベース11の小穴11ｃにスプリング18を介して挿入されたカバー固定ピン19を小穴11ｃに押し込んでおき、連結カバーリング25が被せられたところで連結カバーリング25のピン孔25ｃを小穴11ｃに合せるとカバー固定ピン19がピン孔25ｃに嵌入して取付ベース11に連結カバーリング25が取り付けられ、サムターン装置10の前半部10ｆと後半部10ｒが連結され、サムターン装置10の組み付けが完了する。
【００５２】
なお、カバー固定ピン19は先端が小径で、小径部が連結カバーリング25のピン孔25ｃに嵌入するので、カバー固定ピン19がピン孔25ｃを貫通して抜け落ちることはない。
取付ベース11にカバー固定ピン19により固定された連結カバーリング25により第２つまみ部材22は、軸方向の移動が規制され回動のみが許される。
【００５３】
こうして組み付けられたサムターン装置10は、サムターン軸12と一体の被係脱軸部材13の４つの係合凹部13ｃに第１つまみ部材21の４つの係合凸部21ｃが対応し、互いの相対回動角度が一致すると第１つまみ部材21の軸方向の前方への移動で両者が係合し、後方への移動で両者が離脱する係脱機構Ｋが構成される。
【００５４】
また、第１つまみ部材21は、軸方向の移動が規制された第２つまみ部材22に対して前記カム機構Ｃにより所定の相対回動角度でのみ軸方向に移動可能としている。
したがって第１つまみ部材21は、サムターン軸12（被係脱軸部材13）に対して所定の相対回動角度にある第１の条件と第２つまみ部材22に対して所定の相対回転角度にある第２の条件の２つの条件が満足されたときにのみ軸方向の移動が可能で係脱機構Ｋによるサムターン軸12との係脱が実行される。
【００５５】
いま、第１つまみ部材21が後方に位置して係脱機構Ｋが離脱状態にあるときのサムターン装置10の断面図を図７および図８に、同状態の第１つまみ部材21のみを実線で示し他を２点鎖線で示したサムターン装置10の平面図を図９に示す。
図９のVIII−VIII線で切断した断面図が図８である。
【００５６】
同図８および図９に示す係脱機構Ｋが離脱状態にあっては、コイルスプリング23が第２つまみ部材22に対して第１つまみ部材21を後方から見て反時計方向に付勢しているので、カム機構Ｃは第２つまみ部材22側のストップピン24に第１つまみ部材21側のＬ字状のカム溝21ｄにおける周方向溝の端部が当って第１つまみ部材21と第２つまみ部材22がコイルスプリング23の付勢力により一体に回動する状態にある。
【００５７】
すなわちデッドボルト３を扉端面から突出させ施錠した状態で、サムターン装置10がこの状態にあれば、第１つまみ部材21と第２つまみ部材22が一体となって空転するばかりで、離脱状態にあるサムターン軸12を回動させることはできず簡単には解錠することができない。
【００５８】
解錠するためには、第１つまみ部材21を軸方向前方へ移動して係脱機構Ｋを係合させなければならないが、前記したように第１つまみ部材21は、サムターン軸12（被係脱軸部材13）に対して所定の相対回動角度にある第１の条件と第２つまみ部材22に対して所定の相対回転角度にある第２の条件の２つの条件が満足されなければならない。
【００５９】
そこで屋内側で操作する者は、まず第２つまみ部材22をサムターン軸12に対して所定の相対回動角度位置に合わせる。
この第２つまみ部材22の相対回動角度位置は、第２つまみ部材22と一体のストップピン24に第１つまみ部材21のカム溝21ｄの軸方向溝を一致させたときに第１つまみ部材21の係合凸部21ｃがサムターン軸12と一体の被係脱軸部材13の係合凹部13ｃに対向することになる位置である。
【００６０】
実際には、係脱機構Ｋが係合状態にあるときに、サムターン軸12と一体の被係脱軸部材13の後端面に形成された溝条13ｐを鉛直姿勢にして、連結カバーリング25，第２つまみ部材22のつまみ部22ａ，第１つまみ部材21のつまみ部21ａの各外周面と軸線を含む鉛直平面との上側の交線部分（各外周面の最上位部分）に、予め目印線25ｐ，22ｐ，21ｐ（図においてクロスハッチ部）を刻印しておく。
【００６１】
したがって操作者は、一方の手で第２つまみ部材22を掴み回動（第１つまみ部材21も一体に回動）して目印線22ｐを連結カバーリング25の目印線25ｐ（被係脱軸部材13の後端面の溝条13ｐと一致している）に一致させ、この状態を維持し、他方の手で第１つまみ部材21を掴みコイルスプリング23の付勢力に抗して回動して目印線21ｐを第２つまみ部材22の目印線22ｐに一致させる。
【００６２】
すると図１０および図１１に示すように第２つまみ部材22側のストップピン24が第１つまみ部材21のＬ字状のカム溝21ｄの軸方向溝に一致し、前記第１の条件と第２の条件を同時に満足することになり、図１２および図１３に示すように第１つまみ部材21を軸方向前方に移動して被係脱軸部材13の４つの係合凹部13ｃに第１つまみ部材21の４つの係合凸部21ｃを係合することができる。
【００６３】
この係脱機構Ｋが係合したときに、図１３に示すようにコイルスプリング23により第２つまみ部材22に対して第１つまみ部材21が後方から見て反時計方向に付勢されていることから第２つまみ部材22のストップピン24は第１つまみ部材21のカム溝21ｄにおける軸方向溝後端の周方向溝方向に若干凹んだ凹部21ｅに一部が嵌り込み掛止する。
【００６４】
第２つまみ部材22に対して第１つまみ部材21は、コイルスプリング23により軸方向後方へ付勢されているが、ストップピン24の一部が凹部21ｅに嵌合することにより掛止して係脱機構Ｋを係合状態に維持することができる。
【００６５】
したがって第１つまみ部材21と第２つまみ部材22とは一体に回動し、係脱機構Ｋの係合により第１つまみ部材21と第２つまみ部材22とともにサムターン軸12が一体に回動してデッドロック３を扉端面から引っ込めて解錠することができる。
また、この状態で第１つまみ部材21と第２つまみ部材22を逆に回動してデッドロック３を扉端面から突出させて施錠することもできる。
【００６６】
以上のように施錠状態で図８および図９に示すように係脱機構Ｋが離脱している場合は、第１つまみ部材21が、サムターン軸12に対して所定の相対回動角度にある第１の条件と第２つまみ部材22に対して所定の相対回転角度にある第２の条件の２つの条件が満足するように第１つまみ部材21と第２つまみ部材22を両手を使って操作しなければならず、屋外側から扉などを一部破壊して工具や手を挿入して解錠することは極めて困難である。
【００６７】
一方で施錠後、係脱機構Ｋを離脱する場合は、図１２および図１３に示す状態で第１つまみ部材21を掴んで軸方向後方へある程度以上の力（比較的小さい力）で引けば、第１つまみ部材21のカム溝21ｄの凹部21ｅにコイルスプリング23の付勢力により一部嵌まり込んで掛止した第２つまみ部材22のストップピン24が凹部21ｅから抜け掛止を解除する。
【００６８】
一端ストップピン24が凹部21ｅから抜け掛止が解除されると、コイルスプリング23の付勢力により第１つまみ部材21は後方へ移動し係脱機構Ｋを離脱し、ストップピン24がカム溝21ｄの周方向溝に位置した図１０および図１１に示す状態を経て、さらにコイルスプリング23の付勢力により第１つまみ部材21と第２つまみ部材22が相対回動して最初の図８および図９に示す状態に自動的に戻る。
このように係脱機構Ｋを離脱させるのは、簡単にできる。
【００６９】
本サムターン装置10は、屋内に人が居て起きているようなときは、扉などが破壊されればすぐ気付くので、係脱機構Ｋを係合状態のまま施錠しておけば、一応不審者の侵入を防ぐことができるとともに、第１つまみ部材21または第２つまみ部材22を廻せば簡単に解錠および施錠ができて便利である。
【００７０】
一方で就寝時には、サムターン装置10の第１つまみ部材21または第２つまみ部材22を廻して施錠し、第１つまみ部材21を引っ張り係脱機構Ｋを離脱状態としておけば、たとえ屋外側から扉などを一部破壊して工具や手を挿入して解錠しようとしても第１つまみ部材21と第２つまみ部材22は空転するばかりで、これを解錠するとなると両手を使って前記第１の条件と第２の条件の２つの条件が満足するように第１つまみ部材21と第２つまみ部材22を操作しなければならず、解錠することは極めて困難である。
【００７１】
このように本サムターン装置10は解錠の難易度が異なる２つの施錠状態を選択的に設定することができ、状況に応じて使い分けることが可能で極めて便利である。
また、キーを使用しないことも、煩わしくなく便利である。
【００７２】
カム機構Ｃが、第１つまみ部材21の円筒部21ｂに穿設されたＬ字孔21ｄに第２つまみ部材22と一体のストップピン24が摺動自在に嵌合した簡単な機構であり、コンパクトに構成できる。
【００７３】
カム機構Ｃによりコイルスプリング23により第２つまみ部材22に対して第１つまみ部材21を軸方向の移動ができない状態に維持すべく回動付勢しているので、安易に第１つまみ部材21を移動してサムターン軸12に係合するのを防止することができる。
【００７４】
また、係脱機構Ｋを離脱するのに、ストップピン24が凹部21ｅから抜けるまで第１つまみ部材21を引っ張れば、あとはコイルスプリング23の付勢力により第１つまみ部材21は後方へ移動し係脱機構Ｋを離脱するので、操作性が良い。
【００７５】
このコイルスプリング23は、回動付勢と軸方向付勢の双方の機能を果すので、部品点数を少なくし、構造を簡素化してサムターン装置10のコンパクト化を図ることができる。
【図面の簡単な説明】
【００７６】
【図１】本発明の一実施の形態におけるサムターン装置による錠機構を示した図である。
【図２】係脱機構が離脱状態にあるときの同サムターン装置の平面図である。
【図３】同サムターン装置の図２におけるIII矢視図である。
【図４】同サムターン装置の図２におけるIV矢視図である。
【図５】同サムターン装置を２分割した分解斜視図である。
【図６】同サムターン装置を全部品について分解した分解斜視図である。
【図７】図４におけるVII−VII線に沿って切断した断面図である。
【図８】図４におけるVIII−VIII線に沿って切断した断面図である。
【図９】図７および図８に示す係脱機構が離脱状態にあるときのサムターン装置の説明図である。
【図１０】係脱機構が係脱途中にあるときのサムターン装置の断面図である。
【図１１】同説明図である。
【図１２】係脱機構が係合状態にあるときのサムターン装置の断面図である。
【図１３】同説明図である。
【符号の説明】
【００７７】
１…扉、２…錠ケース、３…デッドボルト、４…第１デッドロッキングレバー、５…第２デッドロッキングレバー、６…揺動中心軸、７…ストッパ、８…ばね部材、９…ばね部材、
10…サムターン装置、11…取付ベース、12…サムターン軸、13…被係脱軸部材、14…ピン、15…ワッシャ、16…Ｇリング、17…軸パイプ、18…スプリング、19…カバー固定ピン、20…ねじ、
21…第１つまみ部材、22…第２つまみ部材、23…コイルスプリング、24…ストップピン、25…連結カバーリング、26…リング押えばね。
【図１】
2005179912.tif 000003
【図２】
2005179912.tif 000004
【図３】
2005179912.tif 000005
【図４】
2005179912.tif 000006
【図５】
2005179912.tif 000007
【図６】
2005179912.tif 000008
【図７】
2005179912.tif 000009
【図８】
2005179912.tif 000010
【図９】
2005179912.tif 000011
【図１０】
2005179912.tif 000012
【図１１】
2005179912.tif 000013
【図１２】
2005179912.tif 000014
【図１３】
2005179912.tif 000015